(57)【要約】【課題】コストダウンが図られたカメラを提供すること。【解決手段】撮影光学系１１０の対物レンズ１０１１ａとファインダの対物窓１０１１ｂと閃光発光装置の閃光発光窓１０１１ｃとを一体成型した一つの部材１０１１で構成する。この部材１０１１は平面状になっており、カメラボディ１０１の一部としてカメラボディ１０１に嵌めこまれる。【選択図】　　　　図１
2004038059.tif 000002
【特許請求の範囲】
【請求項１】
被写体からの光を取り込んで所定の撮影面上に結像させる撮影光学系を備え、該撮影面上に結像された被写体像を捉えることにより撮影を行うカメラにおいて、
撮影時に所定の閃光発光窓から被写体に向けて閃光を発光する閃光発光部を備え、
前記撮影光学系は、被写体に対面するレンズ、反射部材で反射した被写体光を前記撮影面上に導くレンズ群を備えたものであって、
前記閃光発光窓と前記被写体に対面するレンズが、一体成型された一つの部材からなるものであることを特徴とするカメラ。
【請求項２】
被写体からの光を取り込んで所定の撮影面上に結像させる撮影光学系を備え、該撮影面上に結像された被写体像を捉えることにより撮影を行うカメラにおいて、
被写体側を向けた対物窓から被写体光を取り込んで視認させるファインダを備え、
前記撮影光学系は、被写体に対面するレンズ、反射部材で反射した被写体光を前記撮影面上に導くレンズ群を備えたものであって、
前記対物窓と前記被写体に対面するレンズが、一体成型された一つの部材からなるものであることを特徴とするカメラ。
【請求項３】
撮影時に所定の閃光発光窓から被写体に向けて閃光を発光する閃光発光部を備え、
前記対物窓と前記被写体に対面するレンズに加え、さらに前記閃光発光窓が一体成型された一つの部材からなるものであることを特徴とする請求項２記載のカメラ。
【請求項４】
前記一つの部材は、平面状に形成されたものであることを特徴とする請求項３記載のカメラ。
【発明の詳細な説明】
【０００１】
【発明の属する技術分野】
本発明は、被写体からの光を取り込んで所定の撮影面上に結像させる撮影光学系を備え、該撮影面上に結像された被写体像を捉えることにより撮影を行うカメラに関する。
【０００２】
【従来の技術】
近年、カメラボディの小型化が進められ、小型かつ軽量で持ち運びの便利なカメラが多数発売されている。このようなカメラの小型化が進められる中で、小型化に加え、さらに持ち運びが便利になるような薄型構造を持つカメラが注目を集め始めている。
【０００３】
カメラボディの小型化を進めるにあたっては撮影用のレンズなどの部品およびそれらの部品を保持するための部材やＣＣＤ固体撮像素子などの部品およびそのＣＣＤ固体撮像素子を保持するための部材などの小型化もともに進められ、それらの小型化された部品および部材が小型化されたカメラボディ内に高密度に実装されている。
【０００４】
しかしそれらの部品や部材がいくら小型化されても、従来のように対物レンズを経由して取り込まれる被写体光をＣＣＤ固体撮像素子の撮影面で結像させるレンズ群がカメラボディ内に直線的に配設されるとなると、今ひとつカメラボディが薄型にならないという問題がある。そこで撮影用の対物窓から導かれる光をカメラ内に配設された反射鏡で折り曲げることにより光の進行方向を変え、後群のレンズの配設位置に自由度を持たせることが可能な撮影光学系がカメラボディ内に配備され、薄型化が進められている。このような反射鏡を備えた撮影光学系の中には特開平１１−２５８６７８号公報に記載のものがある。
【０００５】
このような撮影光学系の出現によりカメラボディの薄型化が進められたカメラが知られているが、こういったカメラにおいては薄型化を実現するために前述の撮影光学系のメリットを活かして、カメラ表面から突出するレンズ鏡胴を設けずに撮影レンズの一部を構成する被写体側に対面するレンズをカメラボディ表面に配設している。
【０００６】
【発明が解決しようとする課題】
ここで、カメラによっては閃光発光装置やファインダといった付加機能を備えたものも少なくない。上記のものでは、カメラ内に配設された反射鏡で被写体からの光を折り曲げることにより撮影光学系に自由度を持たせることは知られているものの、上記撮影光学系を備えたことによる他のメリット、例えばコストダウン等に結びつける提案はいまのところ見当たらない。
【０００７】
本発明は、上記事情に鑑み、コストダウンが図られたカメラを提供することを目的とする。
【０００８】
【課題を解決するための手段】
上記目的を達成する本発明の第１のカメラは、被写体からの光を取り込んで所定の撮影面上に結像させる撮影光学系を備え、該撮影面上に結像された被写体像を捉えることにより撮影を行うカメラにおいて、
撮影時に所定の閃光発光窓から被写体に向けて閃光を発光する閃光発光部を備え、
上記撮影光学系は、被写体に対面するレンズ、反射部材で反射した被写体光を上記撮影面上に導くレンズ群を備えたものであって、
上記閃光発光窓と上記被写体に対面するレンズが、一体成型された一つの部材からなるものであることを特徴とする。
【０００９】
上記発明の第１のカメラによれば、撮影時に所定の閃光発発光窓から被写体に向けて閃光を発光する閃光発光部を備える第１のカメラにあっては閃光発光窓と被写体に対面するレンズとが一体成型され部材の点数が減り、コストダウンを図ることができる。
【００１０】
上記目的を達成するため本発明の第２のカメラは、被写体からの光を取り込んで所定の撮影面上に結像させる撮影光学系を備え、該撮影面上に結像された被写体像を捉えることにより撮影を行うカメラにおいて、
被写体側を向けた対物窓から被写体光を取り込んで視認させるファインダを備え、
上記撮影光学系は、被写体に対面する対物レンズ、反射部材で反射した被写体光を上記撮影面上に導くレンズ群を備えたものであって、
上記対物窓と上記被写体に対面するレンズが、一体成型された一つに部材からなるものであることを特徴とする。
【００１１】
上記本発明の第２のカメラによれば、被写体側に向けた対物窓から被写体光を取り込んで視認させるファインダを備える第２のカメラにあっては、被写体に対面するレンズとファインダの対物窓とが一体成型された部材一つで済み、部材の点数が減り、コストダウンを図ることができる。
【００１２】
ここで本発明の第２のカメラが上記ファインダの他に撮影時に所定の閃光発光窓から被写体に向けて閃光を発光する閃光発光部を備えたものであるとすると、上記対物窓と上記被写体に対面するレンズに加え、さらに上記閃光発光窓が一体成型された一つの部材からなるものであることが好ましい。
【００１３】
このようにカメラの付加機能に応じて被写体に対面するレンズとファインダの対物窓と閃光発光窓といったそれぞれの部材を一体成型された一つの部材で賄うと、部材の点数が減り、コストダウンを図ることができる。
【００１４】
ここで上記一つの部材は平面状に形成されたものであることが好ましい。
【００１５】
このようにカメラボディ表面に配設される一つの部材が平面状に形成されたものであるとすると、それぞれの部材がカメラボディの一部を形成することができ、カメラボディの薄型化を図ることができる。
【００１６】
【発明の実施の形態】
以下、本発明の実施形態について説明する。
【００１７】
図１（ａ）は本発明の実施形態を示すカメラの外観を示す構成斜視図である。
【００１８】
また、図１（ｂ）は図１のカメラを背面から見た背面図である。
【００１９】
本実施形態のカメラ１００のカメラボディ１０１は薄型構造で、カメラボディ１０１内には撮影を行うための撮影光学系１１０と被写体に閃光を発光するための閃光発光装置（図示せず）とが備えられている。また本実施形態のカメラ１００には直視型のファインダ（図示せず）も設けられており、そのファインダの対物窓１０１１ｂを経由して導かれる被写体光がカメラ背面側に設けられた図示しない接眼部で視認可能な構成になっている。
【００２０】
カメラボディ１０１表面にはカメラボディ１０１内部に配設された撮影光学系１１０に被写体光を導くための対物レンズ１０１１ａと閃光発光装置の閃光を被写体に向けて発光するための閃光発光窓１０１１ｃとがファインダの対物窓１０１ｂを挟んで設けられている。このカメラボディ１０１表面に配設される対物レンズ１０１１ａとファインダの対物窓１０１１ｂと閃光発光装置の閃光発光窓１０１１ｃは一体成型された一つの部材１０１１からなる。従来のカメラのようにカメラボディ１０１から突出するレンズ鏡胴を設けずとも、ズーム、焦点調節といったカメラ特有のレンズ調整を行うことができる上記撮影光学系の特徴を活かし、上記一体成型された部材１０１１はカメラボディ１０１の一部を形成するように平面状に成型されている。
【００２１】
またカメラボディ１０１の背面側にはＬＣＤ表示装置の表示パネル１２０も設けられており、そのＬＣＤ表示装置の表示パネル１２０の被写体像でもフレーミングを行うことができる。ＬＣＤ表示装置の表示パネル１２０で表示される被写体像あるいはファインダ用の窓から取り込まれた被写体光により接眼部で視認される被写体像いずれかでフレーミングを行い、レリーズ釦１０２を押して撮影を行うことができる。
【００２２】
図２（ａ）は対物レンズ１０１１ａを含む撮影光学系１１０の構成図である。
【００２３】
また、図２（ｂ）はＡ方向から見た矢視図である
図２（ａ）に示すようにカメラボディ１０１表面に配設された対物レンズ１０１１ａを経由して導かれた被写体光はその対物レンズ１０１１ａの光軸とは略直交する方向に反射鏡１１１によって折り曲げられ、その折り曲げられた被写体光が後群のレンズ１１２〜１１５でＣＣＤ固体撮像素子１１６まで導かれ、そのＣＣＤ固体撮像素子１１６の撮影面に像が結ばれる。
【００２４】
このようにＣＣＤ固体撮像素子１１６の撮影面に被写体像を結像させる後群のレンズ１１２〜１１５それぞれがカメラボディ１０１の厚み方向に設けられるのではなく、カメラボディ１０１の高さ方向に並んで設けられるのでカメラボディ１０１の厚みを薄くすることができる。
【００２５】
それぞれのレンズ１１２〜１１５はレンズ枠１１２ａ〜１１５ａにそれぞれ嵌め込まれており、それらのレンズのうち、二つのレンズ１１３、１１４が移動自在に配設されている。これら二つのレンズ１１３、１１４が嵌め込まれているレンズ枠１１３ａ、１１４ａそれぞれのカムフォロワ１１３ｂ，１１４ｂが図２（ｂ）に示すようにカム板１１７のカム溝１１７ａ、１１７ｂにそれぞれ係合している。このカム板１１７の駆動を行う方法にはたとえばそのカム板１１７にギア１１７ｃを形成し、そのギア１１７ｃに噛合するピニオンギア１１８ａをモータ１１８側に配設してカム板１１７を駆動することなどが考えられる。そうするとモータ１１８の回転によってカム板１１７が駆動され、カム板１１７のカム溝１１７ａ、１１７ｂに係合しているレンズ枠１１３ａ、１１４ａそれぞれのカムフォロワ１１３ａ、１１４ｂの動きにしたがってレンズ枠１１３ａ、１１４ａがレンズ１１３、１１４とともに移動する。これらのレンズ１１３、１１４の移動によって、図示しないズームスイッチがＷＩＤＥあるいはＴＥＬＥに設定されたらその設定状況に応じてレンズ相互の距離が調節され光学ズームの調節が行われるとともに、レリーズ釦１０２が押されたときにはＣＣＤ固体撮像素子１１６の撮影面からの焦点距離の調節も行われる。
【００２６】
また、本実施形態のカメラ１００では、撮影者は撮影を行うときにファインダの対物窓１０１１ｂを通して得られる被写体を視認しながらでも、ＬＣＤ表示装置のＬＣＤパネル１２０に表示された被写体像を見ながらでも、どちらででもフレーミングを行うことができ、いずれかでフレーミングが行われてからレリーズ釦１０２が押される。このレリーズ釦１０２が押されたときにＬＣＤパネル１２０上であるいはファインダで視認されていた被写体像がＣＣＤ固体撮像素子１１６の撮影面に結像される。
【００２７】
前述したようにカメラボディ１０１表面に配設される対物レンズ１０１１ａとファインダ窓１０１１ｂと閃光発光窓１０１１ｃは一体成型された部材で構成されている。この対物レンズ１０１１ａとファインダの対物窓１０１１ｂと閃光発光窓１０１１ｃは一つの成型型で平面状に一体成型されており、カメラボディ１０１の一部を構成するように、一体成型された一つの部材１０１１がカメラボディ１０１に嵌め込まれ、組み込まれている。
【００２８】
従来はそれぞれ個別の部材を嵌め込むための構造がカメラボディ１０１側に設けられ、それぞれの部材を嵌め込む作業がそれぞれ必要であったが、本実施形態のカメラによれば一体成型された一つの部材１０１１をカメラボディ１０１に嵌め込む構造を設けるだけで良く、カメラボディ１０１側の構造も簡単になるという効果がある。このようにカメラボディ１０１の構造が簡単になれば製作コストが下がる。また、カメラ１００の組立を行うときには、１タッチで撮影光学系の対物窓１０１ａ、ファインダの対物窓１０１ｂ、閃光発光装置の閃光発光窓１０１ｃといった異なる機能を有する部材をそれぞれ組み込む必要がなく、一つの部材１０１１をカメラボディに組み込むだけでで一度に組立を終えることができる。こうして組立が簡単になると組立作業に費やされる時間の短縮を図ることができ、製作コストに加え、組立コストの削減をも図ることができる。
【００２９】
前述したように対物レンズ１０１ａ、ファインダの対物窓１０１ｂ、閃光発光窓１０１ｃといった部材をわざわざ３つの成型型でそれぞれ製作する必要がなくなり、一つの成型型で３つの機能を有する部材を一度に製作することができるメリットもあるので大幅な製作コストの削減が図れる。
【００３０】
【発明の効果】
以上、説明したように、コストダウンが図られたカメラを提供することができる。
【図面の簡単な説明】
【図１】本発明の実施形態を示すカメラの外観を示す図である。
【図２】図１に示すカメラに配備された光学系の構成を示す図である。
【符号の説明】
１００　　カメラ
１０１　　カメラボディ
１０１１　　一体成型された部材
１０１１ａ　　対物レンズ
１０１１ｂ　　ファインダの対物窓
１０１１ｃ　　閃光発光窓
１０２　　　レリーズ釦
１１０　　撮影光学系
１１１　　反射鏡
１１２〜１１５　　レンズ
１１２ａ〜１１５ａ　　レンズ枠
１１６　　ＣＣＤ固体撮像素子
１１７　　カム板
１１７ａ　　カム溝
１１７ｂ　　カム溝
１１７ｃ　　駆動溝
１１８　　駆動源
１１９　　駆動源
１２０　　ＬＣＤ表示パネル
【図１】
2004038059.tif 000003
【図２】
2004038059.tif 000004